(57)【要約】      （修正有）【課題】包装および陳列販売時の見栄えを失うことなく、ハンドバッグ等に入れて携帯する場合に適するように工夫した少なくとも２足以上のストッキングの包装形態を提供すること、そしてストッキングの取出しを容易にすること、さらに陳列効果を高めることができる携帯用ストッキングの包装形態を提供する。【解決手段】一足目のストッキングが中台紙を用いてまとめられ、ストッキングの一部が中台紙の外面を覆う展開状態にされて特定小袋部内に収納され、一足目以外のストッキングは中台紙を用いずにまとめられて他の小袋部内に収納されてから、全体が特定小袋部を正面にした折り畳み状態にされると共に、折り畳み状態が保持片により保持されるようにしてなる。【選択図】図１
0003118080.tif 000002
【実用新案登録請求の範囲】
【請求項１】
透明素材の包装袋と一枚の中台紙とにより構成され、該包装袋は陳列時に正面に位置する特定小袋部を含む少なくとも２個の小袋部が連続して設けられ、各小袋部の取出し口には該取出し口の閉じ用蓋片が設けられ、各小袋部どうし間には手指で切り離すための切取り線が設けられ、小袋部の縁には全体を折り畳み状態に保持する保持片および陳列用吊下げ片が設けられており、また上記中台紙は特定小袋部より小さい大きさとされ、一足目のストッキングが該中台紙を用いてまとめられて該ストッキングの一部が中台紙の外面を覆う展開状態にされて特定小袋部内に収納され、一足目以外のストッキングは中台紙を用いることなくまとめられて他の小袋部内に収納されてから、全体が特定小袋部を正面にした折り畳み状態にされると共に、該折り畳み状態が保持片により保持されるようにしてなることを特徴とする携帯用ストッキングの包装形態。
【請求項２】
前記特定小袋部と該特定小袋部に隣接する小袋部との間に設けられた切取り線は、該特定小袋部の縁部における切取り後には開放状態となりうる個所に設けられ、また前記保持片および陳列用吊下げ片は特定小袋部の縁に設けられたことを特徴とする請求項１記載の携帯用ストッキングの包装形態。
【請求項３】
前記中台紙は二つ折りにしたときに特定小袋部より一回り小さいサイズになる大きさの白地の板紙により構成され、二つ折りの一方側が前面版、他方側が後面版として機能するようにされ、上記前面版には透窓が開口されと共に該透窓近傍にはストッキング着用時の色見本表示用の区画が設けられたことを特徴とする請求項１又は２記載の携帯用ストッキングの包装形態。
【考案の詳細な説明】
【技術分野】
【０００１】
本考案は、パンティストッキング、ロングタイプのストッキング、ショートタイプのストッキング等の極細糸で編成されたストッキング類（以下、単にストッキングという）をハンドバッグ等に入れて携帯するのに適した２足組等の足組商品として販売する場合の包装形態に関するものである。
【背景技術】
【０００２】
上記のようなストッキングは、着用中に伝線が発生したり破れたりするので、外出や旅行等での万が一のときに備え、２足分あるいはそれ以上の複数足分をまとめてハンドバッグ等に収納して携帯することが多い。
【０００３】
しかしながら、ストッキングは中台紙を入れて個包装されているのが普通で、これを複数足ハンドバッグに入れるのでは、非常に嵩張り、また３足組や５速組など比較的割安な多足組のものもあるが、これは携帯用として販売されているものではないので、その中から個包装されている２足あるいは３足を取り出すこととなるので、結局同じこととなる。
【０００４】
また、多連式の包装袋を用いて繋がれた状態にされている個々の靴下のそれぞれに中台紙を個別に入れたものも存在するが、これをハンドバッグの中に入れて携帯した場合、中台紙がハンドバッグ内の一部空間を占領してバッグ内を狭いものにする不便さや煩わしさがあり、ストッキングを使い切るまで中台紙が邪魔になるものであった。
【０００５】
さらに、ストッキング一足ずつを切離して販売又は使用するために、単に包装袋が複数個繋ぎの形態となっている多足入り包装形態の商品も量販店等で販売されているが、該形態のストッキングは中台紙無しになっていて、上記のような不便さや煩わしさの軽減には有効であるが、陳列等に好適であるとはいえない形態になっているもので、見栄えが悪いという問題がある。
【考案の開示】
【考案が解決しようとする課題】
【０００６】
本考案は、上記のような実情に鑑み、包装および陳列時の見栄えを失うことなく、携帯に適するように工夫した、複数足をまとめてコンパクトに包装できる新規の足組ストッキングの包装形態を提供することを第１の課題とし、そしてストッキングの取出しを容易にすることを第２の課題とし、さらに販売の際の陳列効果を高めることを第３の課題とする。
【課題を解決するための手段】
【０００７】
上記第１の課題を達成するために、請求項１に係るストッキングの包装形態は、透明素材の包装袋と一枚の中台紙とにより構成され、該包装袋は陳列時に正面に位置する特定小袋部を含む少なくとも２個の小袋部が連続して設けられ、各小袋部の取出し口には該取出し口の閉じ用蓋片が設けられ、各小袋部どうし間には手指で切り離すための切取り線が設けられ、小袋部の縁には全体を折り畳み状態に保持する保持片および陳列用吊下げ片が設けられており、また上記中台紙は特定小袋部より小さい大きさとされ、一足目のストッキングが該中台紙を用いてまとめられて該ストッキングの一部が中台紙の外面を覆う展開状態にされて特定小袋部内に収納され、一足目以外のストッキングは中台紙を用いることなくまとめられて他の小袋部内に収納されてから、全体が特定小袋部を正面にした折り畳み状態にされると共に、該折り畳み状態が保持片により保持されるように構成されたものである。
【０００８】
すなわち、請求項１に係るストッキングの包装形態によれば、後述するように、特定小袋部内のストッキングは中台紙付きで整然と保形された状態、すなわち客側からは見栄えよく収納でき、また該特定小袋部以外の他の小袋部内には該中台紙付きストッキングの後側に隠れ存する中台紙無しの状態で収納できる。従って、中台紙無しにした分だけ薄型の状態に包装できる。また切取り線で切離して一足ずつ着用することができる。さらに全体を保持片により折り畳み状態に保持できるから、陳列操作、ハンドバッグ等への出し入れ操作、ハンドバッグ内の整理整頓など、取扱を容易化できる。
【０００９】
上記第２の課題を達成するために、請求項２に係るストッキングの包装形態は、上記特定小袋部と該特定小袋部に隣接する小袋部との間に設けられた切取り線が、特定小袋部の縁部における切取り後には開放状態となりうる個所に設けられ、また保持片および陳列用吊下げ片が特定小袋部の縁に設けられたものである。
【００１０】
すなわち、請求項２に係るストッキングの包装形態によれば、ストッキングを取り出して着用するに当り、切取り線の切取操作によって特定小袋部を切り離した場合には、該特定小袋部の底部を一挙に開放状態とすることができるから、該特定小袋部内のストッキングは容易に取り出すことができる。また、ストッキングを取り出した後に特定小袋部を廃棄する場合には、保持片および陳列用吊下げ片を一緒に処分できる。その結果、ハンドバッグ内の容積は広くなり、中台紙無しのソフトな取り扱い易い状態で収納できるようになる。
【００１１】
上記第３の課題を達成するために、請求項３に係るストッキングの包装形態は、上記中台紙は二つ折りにしたときに特定小袋部より一回り小さいサイズになる大きさの白地の板紙により構成され、二つ折りの一方側が前面版、他方側が後面版として機能するようにされ、上記前面版には透窓が開口されと共に該透窓近傍にはストッキング着用時の色見本表示用の区画が設けられたものである。
【００１２】
従って、請求項３に係るストッキングの包装形態によれば、ストッキングが中台紙の前面版と後面版により補強・保持された状態および前面版と後面版との間に挟み隠された体裁のよい状態並びにその色・材質等の確認しうる状態に包装されることになるので、陳列効果を高めることできる。消費者は透窓および色見本表示用の区画を利用してストッキングの色や材質等を見て確かめた上で購入することができる。
【考案の効果】
【００１３】
本考案は、上記の通りであるので、より薄型の小さい形・サイズで複数足のストッキングを包装することができるのみならず、包装および陳列販売時の見栄えを失うことなく携帯にも好適な包装ができる。
【００１４】
しかも、ハンドバッグ等に入れて携帯する場合には、着用に供して減った足数分の薄くて小さな形（サイズ）になるようにしたので、ハンドバッグ等内の占有空間を減らすことができ、上記の煩わしさ、不便さを解消できる。
【００１５】
さらに、保持片により折り畳み状態に保持できるので陳列操作、ハンドバッグ等への出し入れ操作、ハンドバッグ内の整理整頓操作等の取扱を容易化でき、上記第１〜３の課題を一挙に解決できる著効を奏することができる。
【００１６】
特に、請求項２に係るストッキングの包装形態によれば、切取り操作と開口操作を一動作で行なうことができるので、包装袋を切ればすぐに１つ目のストッキングを取り出せる利便さを備えている。
【考案を実施するための最良の形態】
【００１７】
図１〜図９に示す本考案に係るストッキングの包装形態は、複数（少なくとも２個の）の小袋部を有する包装袋１と、陳列販売時の見栄えよくするための一枚の中台紙２とにより構成されている。
【００１８】
なお、図１は全体を示す分解斜視図であり、図２は陳列する形態で示す前方の斜め上方から見た前方斜視図であり、図３は同じく後方の斜め上方から見た後方斜視図であり、図４は図２のＡ−Ａ線に沿う断面図であり、図５は展開状態で示す前方の斜め上方から見た前方斜視図であり、図６は同じく後方の斜め上方から見た後方斜視図であり、図７は図５Ｂ−Ｂ線に沿う断面図であり、図８はストッキング包装時の一過程を示す斜視図であり、図９はストッキング取り出しのための一過程を示す斜視図である。
【００１９】
先ず、上記の包装袋１は、透明の合成樹脂フイルムにより構成されたパンティストッキング３のための包装袋であって、パンティストッキング３を一足ずつ収納する複数の個別取出し型小袋部４を連続して有する構成にされた主体６と、各小袋部４の取出し口５に設けた該取出し口５の閉じ用蓋片７と、主体６における各小袋部４どうし間に設けた手指で切り離しうるミシン目状の切取り線８と、主体６の適宜個所に設けた該主体６を折り畳み状態に保持する保持片９と、主体６の外縁に設けた陳列用吊下げ片１０とを備えた構成にされている。
【００２０】
なお、この実施例にあっては、上記保持片９が包装完了時には後述する特定小袋部４ａの閉じ用蓋片を兼ねるので、該特定小袋部４ａには閉じ用蓋片を設けていない。
【００２１】
また、同特定小袋部４ａとその隣りの小袋部４とを切離す切取り線８は、特定小袋部４ａの底縁に沿って設けてあり、切離し時には同特定小袋部４ａの底を自動的に開放状態となるようにしてある（図９参照）。
【００２２】
さらに、上記保持片９および陳列用吊下げ片１０は、特定小袋部４ａの取出し口５と対応する位置関係として設けてあり、該特定小袋部４ａが切除されて捨てられるときには一緒に処分されるようにしてある。
【００２３】
そして、上記閉じ用蓋片７は、その内面に小袋部４を閉じ状態にする感圧接着層１１が設けられ、該感圧接着層１１には離型用フイルム１２が剥除自在に被覆された構成にされている。また、同様に保持片９は、その内面に主体６を折り畳み状態に保持する感圧接着層１３が設けられ、該感圧接着層１３には離型用フイルム１４が剥除自在に被覆された構成にされている。
【００２４】
さらに、陳列用吊下げ片１０は、その中央個所に吊下げ孔１５が設けられ、該吊下げ孔１５には必要に応じて吊下げ用フック（図示せず）を取り付け得るようにしてある。なお、該吊下げ孔１５には吊下げ用フックを付けずに、そのまま陳列販売用の細い棒状アームを挿入して吊り下げられるようにしてもよい。
【００２５】
また、上記中台紙２は、白地の板紙をカットして構成されており、二つ折りにしたときに上記小袋部４より一回り小さいサイズになる大きさにされている。そして二つ折りの一方側が前面版１８、他方側が後面版１９として機能するようにされると共に、上記前面版１８には透窓２０が開口され、また該透窓２０の横個所にはパンティストッキング３の着用時の色見本表示用の区画(白地部分)２１が設けられ、さらに該前面版１８にあって上記透窓２０および色見本表示用区画２１以外の周囲部分２２は、商品名やサイズ、色彩表示、メーカー名、商品説明等の印刷個所として利用される。
【００２６】
上記の包装袋１および中台紙２は、次のように使用される。先ず、パンティストッキング３の片方の脚のレッグ部分内に中台紙２を展開状態で挿入し、しかるのちレッグ部分の一部が展開状態で前面版１８の外面を被う態様を呈する状態を確保しつつ該中台紙２の前面版１８と後面版１９の間にパンティストッキング３を折り畳んで見栄えよく挟み入れると共に、該挟み入れ状態のまま全体を後述する特定小袋部４ａ内に収納する。また、上記特定小袋部４ａ以外の各小袋部３内にも他のパンティストッキング３を見栄えよく中台紙無しで折り畳んで収納すると共に、閉じ用蓋片７の離型用フイルム１２を剥除してから該閉じ用蓋片７を感圧接着層１１の接着機能により閉じ状態とし、該各パンティストッキング３の収納を完了する。なお、特定小袋部４ａ内および他の小袋部４内に入れるパンティストッキング３の色は、通常同じ色とするものであるが、異なる色にすることは任意である。
【００２７】
そして、そののち、上記特定小袋部４ａが正面になるようにして主体６を重ね折りにし、全体を薄型の小さい形態にすると共に、保持片９の離型用フイルム１４を剥除してから該保持片９の接着により上記主体６の重ね折り状態を保持する。なお、本実施例では、上記のようにすることで特定小袋部４ａの閉じ状態を確保するようにしてあるが、該特定小袋部４ａにも上記の閉じ用蓋片７を設けることは自由である。
【００２８】
従って、上記透明主体６の重ね折り保持状態における特定小袋部４ａ内のパンティストッキング３は、中台紙２により整然と保形されて正面からは体裁よく見えるようにされる。この場合、中台紙２の外面に展開状態にされたパンティストッキング３における上記レッグ部分の一部３ａは、上記色見本表示用の区画（白地部分）２１の外側にあって着用時の色見本の表示機能を果たすことになる。なお、上記主体６の重ね折り保持状態における特定小袋部４ａ以外の小袋部４内のパンティストッキング３は、透明主体６により被包された状態で上記特定小袋部４ａ内の中台紙２付きパンティストッキング３の後側に隠れるので、商品としての体裁を損なわないようにすることできる。
【００２９】
また、パンティストッキング３を取り出して着用する場合には、保持片９を剥がして主体６を展開状態にしてから、切取り線８に沿って切り取り操作を行うことにより、特定小袋部４ａを主体６から切り離し、当該特定小袋部４ａの底部を開放状態（図９参照）とすると共に、該特定小袋部４ａ内からその中のパンティストッキング３を取り出して着用に供すればよい。
【００３０】
なお、パンティストッキング取り出し後の特定小袋部４ａは適宜に廃棄処分する。また、残存している小袋部４内の他のパンティストッキング３はこれをハンドバッグ等内に戻し、次回の着用に備える。この場合、中台紙２、陳列用吊下げ片１０および吊下げフックは特定小袋部４ａと一緒に廃棄されているから、ハンドバッグ等内の容積は広くなり、中台紙２無しのソフトな取り扱い易い状態で収納することができる。
【図面の簡単な説明】
【００３１】
【図１】全体を示す分解斜視図である。
【図２】陳列する形態で示す前方の斜め上方から見た前方斜視図である。
【図３】同じく後方の斜め上方から見た後方斜視図である。
【図４】図２のＡ−Ａ線に沿う断面図である。
【図５】展開状態で示す前方の斜め上方から見た前方斜視図である。
【図６】同じく後方の斜め上方から見た後方斜視図である。
【図７】図５のＢ−Ｂ線に沿う断面図である。
【図８】ストッキング包装時の一過程を示す斜視図である。
【図９】ストッキング取り出しのための一過程を示す斜視図である。
【符号の説明】
【００３２】
１  包装袋
２  中台紙
３  パンティストッキング
４  小袋部
４ａ  特定小袋部
５  取出し口
６  主体
７  閉じ用蓋片
８  切取り線
９  保持片
１０  陳列用吊下げ片
１１、１３  感圧接着層
１２、１４  離型用フイルム
１５  吊下げ孔
１８  前面版
１９  後面版
２０  透窓
２１  色見本表示区画
２２  印刷部分
【図１】
0003118080.tif 000003
【図２】
0003118080.tif 000004
【図３】
0003118080.tif 000005
【図４】
0003118080.tif 000006
【図５】
0003118080.tif 000007
【図６】
0003118080.tif 000008
【図７】
0003118080.tif 000009
【図８】
0003118080.tif 000010
【図９】
0003118080.tif 000011